(57)【要約】【課題】記録再生装置において、外部装置から送信されたタイトル等の文字情報を記録媒体に記録することにより生じる文字化け等の不都合を防止する。【解決手段】本発明に係る記録再生装置１によれば、ＣＰＵ１１１ａは、ＰＣ２から受信したタイトルデータの文字コードがセクタ４へ書き込む文字コードであるか否かを判断し、セクタ４へ書き込む文字コードであると判断すると、ＰＣ２から送信された書き込みタイトルのバイト数と書き込みを行うＭＤのセクタ４の空き容量のバイト数（セクタ４のＰ−ＥＭＰＴＹ×７）を比較する。書き込みタイトルのバイト数の方が大きい場合、ＣＰＵ１１１ａは、書き込み可能なバイト数、即ちセクタ４の空き容量のバイト数は奇数であるか否かを判断し、奇数であると判断すると、書き込みタイトルのバイト数を書き込み可能なバイト数−１にすることにより偶数バイトに補正してＭＤへの書き込みを行う。【選択図】　図１
2004139685.tif 000002
【特許請求の範囲】
【請求項１】
コンピュータ装置に通信手段を介して接続可能であって、前記コンピュータ装置から受信した文字情報を記録媒体に記録する記録手段を備えた記録再生装置において、
前記通信手段を介して受信した文字情報が偶数バイトで１文字を示す文字コードにより構成されている場合に、前記受信した文字情報のバイト数と前記記録媒体に書き込み可能なバイト数とを比較する比較手段と、
前記比較の結果、前記受信された文字情報のバイト数が前記記録媒体に書き込み可能なバイト数よりも大きい場合に、前記記録媒体に書き込み可能なバイト数が奇数バイトであるか否かを判断する判断手段を備え、
前記記録手段は、前記判断手段により前記記録媒体に書き込み可能なバイト数が奇数バイトであると判断された場合に、前記受信された文字情報のうち、前記記録媒体に書き込み可能なバイト数以内の偶数バイトの文字情報を前記記録媒体に記録することを特徴とする記録再生装置。
【請求項２】
コンピュータ装置に通信手段を介して接続可能であって、前記コンピュータ装置から受信した文字情報を記録媒体に記録する記録再生装置を制御するためのコンピュータに、
前記通信手段を介して受信した文字情報が偶数バイトで１文字を示す文字コードにより構成されている場合に、前記受信した文字情報のバイト数と前記記録媒体に書き込み可能なバイト数とを比較する機能と、
前記比較の結果、前記受信された文字情報のバイト数が前記記録媒体に書き込み可能なバイト数よりも大きい場合に、前記記録媒体に書き込み可能なバイト数が奇数バイトであるか否かを判断する機能と、
前記記録媒体に書き込み可能なバイト数が奇数バイトであると判断された場合に、前記受信された文字情報のうち、前記記録媒体に書き込み可能なバイト数以内の偶数バイトの文字情報を前記記録媒体に記録する機能と、
を実現させるためのプログラム。
【発明の詳細な説明】
【０００１】
【発明の属する技術分野】
本発明は、記録再生装置及びそのプログラムに関する。
【０００２】
【従来の技術】
近年、パソコン（ｐｅｒｓｏｎａｌ　ｃｏｍｐｕｔｅｒ；以下、ＰＣと称する。）と記録再生装置をＵＳＢ（Ｕｎｉｖｅｒｓａｌ　Ｓｅｒｉａｌ　Ｂｕｓ）で接続するインターフェース規格であるＮｅｔ　ＭＤにより、ＰＣ上の音楽データを記録再生装置に転送し、ＭＤ（Ｍｉｎｉ　Ｄｉｓｃ）等の記録メディアに録音（以下、チェックアウトと称する。）したり、再生したりすることが可能となっている。
【０００３】
Ｎｅｔ　ＭＤにおいては、ＰＣでタイトル情報を編集して記録再生装置に送信し、記録再生装置で受信したタイトル情報をＭＤに記録することができる。ＰＣから記録再生装置へタイトル情報等の文字情報を送信する技術としては、例えば、端末装置から送信された文字情報中に含まれる改行記号等の識別子に基づいて、文字情報をプログラム毎の文字列に分割し、プログラムと対応付けてＭＤに記録する技術が開示されている（例えば、特許文献１参照）。
【０００４】
【特許文献１】
特開２０００−１１６０４号公報
【０００５】
【発明が解決しようとする課題】
ところで、漢字等の２バイトの文字コードからなるタイトル等の文字情報をＭＤに書き込む時に、ＰＣから送信された文字数（バイト数）がＭＤに書き込み可能な文字数（バイト数）よりも大きいことがある。この場合、文字情報をそのまま記録再生装置に転送すると、ＭＤの空き容量によりＭＤには文字情報が奇数バイトで記録されることがある。しかしながら、２バイトの文字コードの文字情報が奇数バイトで書き込まれてしまうと、表示の際の文字化けやグループ管理ができなくなるという不都合が生じることがあった。
【０００６】
本発明の課題は、記録再生装置において、外部装置から送信されたタイトル等の文字情報を記録媒体に記録することにより生じる文字化け等の不都合を防止することである。
【０００７】
【課題を解決するための手段】
上記課題を解決するため、請求項１に記載の発明は、
コンピュータ装置に通信手段を介して接続可能であって、前記コンピュータ装置から受信した文字情報を記録媒体に記録する記録手段を備えた記録再生装置において、
前記通信手段を介して受信した文字情報が偶数バイトで１文字を示す文字コードにより構成されている場合に、前記受信した文字情報のバイト数と前記記録媒体に書き込み可能なバイト数とを比較する比較手段と、
前記比較の結果、前記受信された文字情報のバイト数が前記記録媒体に書き込み可能なバイト数よりも大きい場合に、前記記録媒体に書き込み可能なバイト数が奇数バイトであるか否かを判断する判断手段を備え、
前記記録手段は、前記判断手段により前記記録媒体に書き込み可能なバイト数が奇数バイトであると判断された場合に、前記受信された文字情報のうち、前記記録媒体に書き込み可能なバイト数以内の偶数バイトの文字情報を前記記録媒体に記録することを特徴としている。
【０００８】
請求項２に記載の発明は、
コンピュータ装置に通信手段を介して接続可能であって、前記コンピュータ装置から受信した文字情報を記録媒体に記録する記録再生装置を制御するためのコンピュータに、
前記通信手段を介して受信した文字情報が偶数バイトで１文字を示す文字コードにより構成されている場合に、前記受信した文字情報のバイト数と前記記録媒体に書き込み可能なバイト数とを比較する機能と、
前記比較の結果、前記受信された文字情報のバイト数が前記記録媒体に書き込み可能なバイト数よりも大きい場合に、前記記録媒体に書き込み可能なバイト数が奇数バイトであるか否かを判断する機能と、
前記記録媒体に書き込み可能なバイト数が奇数バイトであると判断された場合に、前記受信された文字情報のうち、前記記録媒体に書き込み可能なバイト数以内の偶数バイトの文字情報を前記記録媒体に記録する機能と、
を実現させるためのプログラムであることを特徴としている。
【０００９】
【発明の実施の形態】
以下、図を参照して本発明の実施の形態を詳細に説明する。
図１に、本実施の形態に係るオーディオシステム１００の全体構成及び各装置の機能的構成を示す。図１に示すように、オーディオシステム１００は、記録再生装置１とＰＣ２が通信ケーブルであるＵＳＢ３を介して接続され、データの入出力が可能なように構成されている。ＰＣ２は、ＵＳＢ３を介して制御信号及びハードディスク２０４又はＣＤ（Ｃｏｍｐａｃｔ　Ｄｉｓｃ）ドライブ２０５に装填されたＣＤ（図示せず）に記録されているデータを記録再生装置１へ出力し、記録再生装置１は、ＰＣ２からの制御に従い、ＰＣ２から入力されたデータを再生したり、記録再生部１０１に装填されたＭＤに記録したりする。
【００１０】
まず、記録再生装置１の内部構成について説明する。
記録再生装置１は、図１に示すように、記録再生部１０１、操作部１０２、表示パネル部１０３、ＬＥＤ部１０４、Ｎｅｔ　ＭＤセキュリティー回路１０５を備えて構成されている。
【００１１】
記録再生部１０１は、システムコントローラ１１１、デジタル信号処理回路１１２、光ピックアップ１１３、送りモータ１１４、スピンドルモータ１１５、ＲＦアンプ１１６、ヘッドドライバ１１７及び記録ヘッド１１８等により構成され、ＵＳＢ３を介してＰＣ２から入力された音楽データやＵ−ＴＯＣ情報を記録再生部１０１に装填されたＭＤに記録する。また、再生対象のＭＤに記録された音楽データを再生し、Ｄ／Ａ変換器及びアンプを介してスピーカ（図示せず）から出力する。
【００１２】
システムコントローラ１１１は、ＣＰＵ（Ｃｅｎｔｒａｌ　Ｐｒｏｃｅｓｓｉｎｇ　Ｕｎｉｔ）１１１ａ、ＲＯＭ（Ｒｅａｄ　Ｏｎｌｙ　　Ｍｅｍｏｒｙ）１１１ｂ、ＲＡＭ（Ｒａｎｄｏｍ　Ａｃｃｅｓｓ　Ｍｅｍｏｒｙ）１１１ｃ等から構成されている。ＣＰＵ１１１ａは、ユーザによる操作部１０２のキー操作により、ＲＯＭ１１１ｂに格納されているシステムプログラムや各種制御プログラムを読み出し、ＲＡＭ１１１ｃ内のプログラム格納領域に展開し、該制御プログラムに従って記録再生装置１の各部の動作を集中制御する。例えば、ＣＰＵ１１１ａは、操作部１０２からの操作により、外部接続動作モード、即ち、Ｎｅｔ　ＭＤモードをＯＮとする要求が生じると、動作モードをＮｅｔ　ＭＤモードに設定し、ＰＣ２からのコマンド（制御信号）に応じて各部を制御し、ＭＤに記録された音楽データを再生、出力したり、ＵＳＢ３を介してＰＣ２から入力された音楽データやタイトル等のＵ−ＴＯＣ（Ｕｓｅｒ−Ｔａｂｌｅ　Ｏｆ　Ｃｏｎｔｅｎｔｓ）情報をＭＤに記録したりする。
【００１３】
また、ＣＰＵ１１１ａは、ＲＯＭ１１１ｂから読み出したプログラムに従って、後述するタイトル書き込み処理を始めとする各種処理を実行する。即ち、ＣＰＵ１１１ａは、ＵＳＢ３を介してＰＣ２から書き込みタイトルのデータを受信すると、受信したタイトルデータの文字コードがセクタ４へ書き込む文字コードであるか、即ち２バイトの文字コードであるか否かを判断し、セクタ４へ書き込む文字コードであると判断すると、ＰＣ２から送信された書き込みタイトルのバイト数と書き込みを行うＭＤのセクタ４の空き容量のバイト数を比較する。書き込みタイトルのバイト数の方が大きい場合、ＣＰＵ１１１ａは、書き込み可能なバイト数、即ちセクタ４の空き容量のバイト数は奇数であるか否かを判断し、奇数であると判断すると、書き込みタイトルのバイト数を書き込み可能なバイト数−１にすることにより偶数バイトに補正し、セクタ４を指定して記録再生部１０１に書き込み要求し、記録再生部１０１によりタイトルの書き込みを行う。
【００１４】
ＲＯＭ１１１ｂは、半導体等の不揮発性メモリ等により構成されている。ＲＯＭ１１１ｂは、記録再生装置１に対応するシステムプログラム、及び該システムプログラム上で実行可能なタイトル書き込み処理プログラムを始めとする各種処理プログラム及びプログラムの実行に必要なデータ等を予め記憶する。
【００１５】
ＲＡＭ１１１ｃは、ＣＰＵ１１１ａにより実行制御される上記各種処理において、ＲＯＭ１１１ｂから読み出された記録再生装置１で実行可能なシステムプログラム、制御プログラム、入力若しくは出力データ、及びパラメータ等の一時的な格納領域となる。
【００１６】
デジタル信号処理回路１１２は、ＤＳＰ（Ｄｉｇｉｔａｌ　Ｓｉｇｎａｌ　Ｐｒｏｃｅｓｓｏｒ）等の高速のマイクロプロセッサにより構成され、サーボ制御、ショックプルーフメモリ制御等、ＭＤに対する音楽データの記録／再生における制御を行う。また、ＭＤのＡＤＩＰ（ＡＤｄｒｅｓｓ　ＩＮ　Ｐｒｅ−ｇｒｏｏｖｅ　ｏｎ　Ｒｅｃｏｒｄａｂｌｅ　Ｄｉｓｃ；プリグルーブ）に記録されているアドレスのデコード処理、音楽データのＥＦＭ（Ｅｉｇｈｔ　ｔｏ　Ｆｏｕｒｔｅｅｎ　Ｍｏｄｕｌａｔｉｏｎ）エンコード／デコード処理、ＡＴＲＡＣ（Ａｄａｐｔｉｖｅ　Ｔｒａｎｓｆｏｒｍ　Ａｃｏｕｓｔｉｃ　Ｃｏｄｉｎｇ）方式やＡＴＲＡＣ３方式へのエンコード／デコード処理等の各種デジタル信号処理を施す。
【００１７】
光ピックアップ１１３は、音楽データの記録時において、デジタル信号処理回路１１２に制御された送りモータ１１４によりＭＤの半径方向に移動し、レーザ光をＭＤの記録面に向けて照射し、キュリー点以上になるまで加熱して記録を行う。また、光ピックアップ１１３は、音楽データの再生時において、デジタル信号処理回路１１２に制御された送りモータ１１４によりＭＤの半径方向に移動し、レーザ光をＭＤの記録面に向けて照射し、その反射光の強弱からＭＤに記録されているデータを読み取ってＲＦアンプ１１６等に出力する。
【００１８】
送りモータ１１４は、デジタル信号処理回路１１２により駆動制御され、光ピックアップをＭＤの半径方向に移動させる。
スピンドルモータ１１５は、デジタル信号処理回路１１２により駆動制御され、一定線速度で回転することで、装填されたＭＤを回転駆動させる。
【００１９】
ＲＦアンプ１１６は、光ピックアップ１１３より入力された信号のうち、主にＭＤに記録されたデータに応じた信号成分を有するＲＦ（Ｒａｄｉｏ　Ｆｒｅｑｕｅｎｃｙ）信号を増幅してデジタル信号処理回路１１２に出力する。
【００２０】
ヘッドドライバ１１７は、デジタル信号処理回路１１２の制御により記録時に記録ヘッド１１８を制御して、デジタル信号処理回路１１２から供給される信号に応じた磁場をＭＤに印加して音楽データやタイトル情報等をＭＤに記録する。
【００２１】
バッファメモリ１１９は、ＤＲＡＭ（Ｄｙｎａｍｉｃ　Ｒａｎｄｏｍ　Ａｃｃｅｓｓ　Ｍｅｍｏｒｙ）等により構成され、ＰＣ２から受信した音楽データやＵ−ＴＯＣ情報、ＭＤから読み込んだ音楽データを一時的に格納する。
【００２２】
操作部１０２は、ＥＪＥＣＴキー、パワーボタン、録音（記録）キー、再生キー、テンキー、ＳＫＩＰ　ＵＰ／ＤＯＷＮキー、停止キー、モード設定キー等の各種機能キー及び機能ボタンを備え、キー操作、ボタン操作による操作信号をＣＰＵ１１１ａへ出力する。
【００２３】
表示パネル部１０３は、ＬＣＤ（Ｌｉｑｕｉｄ　Ｃｒｙｓｔａｌ　Ｄｉｓｐｌａｙ）等により構成され、ＣＰＵ１１１ａから入力される表示信号の指示に従って、表示画面上に、再生するＭＤの全録音時間、全体の曲数、現在録音または再生されている曲番号等の情報や動作モード等の表示を行う。
【００２４】
ＬＥＤ（発光ダイオード）部１０４は、ＣＰＵ１１１ａの制御により点灯又は点滅することにより、記録再生装置１の所定の動作状態をユーザに告知する。
【００２５】
Ｎｅｔ　ＭＤセキュリティー回路１０５は、記録再生部１０１とＵＳＢ３を接続するためのＵＳＢインターフェースであり、ＰＣ２とのＮｅｔ　ＭＤ接続時のセキュリティ管理、チェックアウト時に受信した暗号化された音楽データの復号化処理等を行う。
【００２６】
次に、記録再生装置１に装填されるＭＤの記録用領域について説明する。
ＭＤの記録用領域であるレコーダブルエリアは、音楽データ等のプログラムを記録するプログラムエリアと、プログラムエリアに記録されているプログラムの管理情報であるＵ−ＴＯＣ情報を記録するＵ−ＴＯＣエリアを有している。
【００２７】
プログラムエリアのプログラムはトラック単位で管理されており、例えばプログラムが音楽データである場合、１曲を１トラックとして記録することで、曲単位での管理が可能となる。
【００２８】
Ｕ−ＴＯＣエリアは、例えば３２セクタから構成され、そのうちセクタ１及びセクタ４は、記録されたプログラムに対応する文字情報、具体的には、プログラムエリアに記録されている各プログラムのタイトル及びＭＤ全体のタイトルを管理している。セクタ１及びセクタ４は、それぞれ異なる文字形態に対応するものであり、セクタ１は、アスキーコードによって表される英字、カタカナ等の１バイト文字の文字情報を管理し、セクタ４は、シフトＪＩＳ又はＩＳＯ−８８５９−１による文字コードによって表される漢字や平仮名等の２バイト文字の文字情報を管理する。なお、ここでは文字情報を管理するセクタとしてセクタ１及び４を利用することとしているが、これに限定されない。
【００２９】
図２に、セクタ４の構成の一例を示す。セクタ４は、２３５２バイトのサイズであり、５８８個の４バイトのスロット単位を並べた構成である。各スロット単位には番号０〜５８７が付されている。番号０〜３はヘッダエリアとなっており、番号４〜５８７は２３３６バイトのデータエリアとなっている。各プログラムのタイトル（Ｔｒａｃｋ　Ｎａｍｅ）、ＭＤ全体のタイトル（Ｄｉｓｃ　Ｎａｍｅ）等の文字情報は、データエリアの対応テーブル指示データＰ−ＴＮＡｎ（Ｐｏｉｎｔｅｒ　ｆｏｒ　Ｔｒａｃｋ　ｎ　Ｎａｍｅ　Ｔａｂｌｅ、ｎ＝１〜２５５）によって示される２５５個の文字テーブル部のスロット（２スロット単位）に記録されており、文字数が多い場合にはリンク情報（Ｌｉｎｋ−Ｐ）を用いて複数のスロットを連結して記録を行っている。
【００３０】
Ｐ−ＥＭＰＴＹ（Ｐｏｉｎｔｅｒ　ｆｏｒ　Ｅｍｐｔｙ　ｓｌｏｔ）には、スロットの使用状況が格納されている。例えば、Ｐ−ＥＭＰＴＹには未使用の文字テーブル部のスロット数が格納されている。各スロットにおいて文字情報が記録可能なバイト数は、リンク情報のための１バイトを除いた７バイトであるので、ＭＤ全体としての記録可能なバイト数はＰ−ＥＭＰＴＹ×７バイトとなる。
【００３１】
次に、ＰＣ２の内部構成について説明する。
ＰＣ２は、図１に示す様に、ＣＰＵ２０１ａ、ＲＯＭ２０１ｂ及びＲＡＭ２０１ｃを有する制御部２０１、操作部２０２、表示部２０３、ハードディスク２０４、ＣＤドライブ２０５、Ｉ／Ｆ２０６、通信制御部２０７等により構成されている。
【００３２】
ＣＰＵ２０１ａは、ＲＯＭ２０１ｂ、ハードディスク２０４に記憶されているシステムプログラムや各種処理プログラムを読み出して、読み出したプログラムに従って各部の動作を集中制御する。例えば、ハードディスク２０４には、ＵＳＢ３を介して接続された記録再生装置１を制御するための記録再生用アプリケーションソフトが格納されており、ＣＰＵ２０１ａは、操作部２０２により記録再生用アプリケーションソフトの実行が指示されると、記録再生用アプリケーションソフトのアプリケーションプログラムを読み出して実行する。具体的には、ＣＰＵ２０１ａは、表示部２０３に記録再生装置１を操作するための操作画面を表示して、操作画面からの入力指示に従って記録再生装置１に制御信号（コマンド）を送信し、ハードディスク２０４やＣＤドライブ２０５に装填されたＣＤに記録された音楽データを暗号化して記録再生装置１に転送し、記録再生装置１を制御してこれらの音楽データを出力させたり、ＭＤに記録（チェックアウト）したり、ＭＤに記録された音楽データを再生させたりする。また、ＣＰＵ２０１ａは、操作画面からの入力に応じたタイトル等の文字情報を記録再生装置１に送信し、ＭＤのＵ−ＴＯＣエリアに記録させる。
【００３３】
また、ＣＰＵ２０１ａは、ウェブブラウザ機能を有し、ＵＲＬ（Ｕｎｉｆｏｒｍ　Ｒｅｓｏｕｒｃｅ　Ｌｏｃａｔｏｒ）等により所定のインターネットアドレスを指定することで、インターネットＮを介して任意のウェブサーバにアクセスし、ウェブページを閲覧可能とする。例えば、ＣＰＵ２０１ａは、操作部２０２からの入力指示に従って、音楽配信サービスを提供するウェブページにアクセスし、音楽データのダウンロードを行ってＡＴＲＡＣ方式、ＡＴＲＡＣ３方式等の所定のデータフォーマットに変換し、ハードディスク２０４に記憶させる。
【００３４】
ＲＯＭ２０１ｂは、不揮発性の半導体メモリ等により構成され、ＰＣ２に対応するシステムプログラム、及び該システムプログラム上で実行可能な各種処理プログラム等を記憶する。プログラムは、コンピュータが読み取り可能なプログラムコードの形態で格納され、ＣＰＵ２０１ａは、当該プログラムコードに従った動作を逐次実行する。
【００３５】
ＲＡＭ２０１ｃは、制御部２０１により実行制御される各種処理において、ＲＯＭ２０１ｂやバードディスク２０４から読み出されたＰＣ２で実行可能なシステムプログラム、各種処理プログラム、各種アプリケーションプログラム、入力若しくは出力データ、及びパラメータ等の一時的な格納領域となる。
【００３６】
操作部２０２は、文字／英数字入力キー、カーソルキー、及び各種機能キー等を備えたキーボードと、ポインティングデバイスであるマウス等を備えて構成され、キーボードで押下操作されたキーの押下信号とマウスによる操作信号とを入力信号としてＣＰＵ２０１ａへ出力する。若しくは、操作部２０２は、表示部２０３の表示画面を覆う透明なシートパネルに、指又は専用のスタイラスペンで触れることにより入力される位置情報を入力信号としてＣＰＵ２０１ａに出力する、タッチパネルにより構成される。
【００３７】
表示部２０３は、ＬＣＤ（Ｌｉｑｕｉｄ　Ｃｒｙｓｔａｌ　Ｄｉｓｐｌａｙ）やＣＲＴ（Ｃａｔｈｏｄｅ　Ｒａｙ　Ｔｕｂｅ）等により構成され、ＣＰＵ２０１ａから入力される表示信号の指示に従って、表示画面上に、画像の表示を行う。
【００３８】
ハードディスク２０４は、大容量の記憶装置であり、音楽データ、記録再生用アプリケーションソフトのアプリケーションプログラムのデータをはじめとする各種データを記憶する。ハードディスク２０４は、ＰＣ２内部に固定的に設けたもの、若しくは着脱自在に装着するもののいずれであってもよい。
ＣＤドライブ２０５は、装填されたＣＤに記録されたデータの読み出しを行う。
【００３９】
Ｉ／Ｆ２０６は、ＰＣ２とＵＳＢ３を接続するためのインターフェースである。
通信制御部２０７は、モデム、ＴＡ（Ｔｅｒｍｉｎａｌ　Ａｄａｐｔｅｒ）やルータ等により構成され、電話回線、ＩＳＤＮ回線、ＡＤＳＬ回線、ケーブルテレビ回線、或いは光ファイバ等によってなる専用線等の通信回線を介して、インターネットＮに接続された外部の機器との通信を行うための制御を行う。
【００４０】
次に、動作について説明する。
図３に、記録再生装置１のＣＰＵ１１１ａにより実行されるタイトル書き込み処理の例を示す。
【００４１】
ＣＰＵ１１１ａは、ＵＳＢ３を介してＰＣ２からタイトル書き込みコマンドが入力されると（ステップＳ１；ＹＥＳ）、ＰＣ２から送信される書き込みタイトルのデータを受信し（ステップＳ２）、データ受信が完了すると（ステップＳ３；ＹＥＳ）、記録再生部１０１がＭＤへのタイトル書き込みが可能な状態であるか否かを判断する（ステップＳ４）。記録再生部１０１がＭＤへのタイトル書き込み可能な状態ではないと判断すると（ステップＳ４；ＮＯ）、ＣＰＵ１１１ａはステップＳ１２へ移行し、タイトル書き込み不可であることをＰＣ２に返答し（ステップＳ１２）、返答の送信が完了すると（ステップＳ１３；ＹＥＳ）、当該処理を終了する。
【００４２】
ステップＳ４において記録再生部１０１がＭＤへのタイトル書き込みが可能な状態であると判断すると（ステップＳ４；ＹＥＳ）、ＣＰＵ１１１ａは、受信した書き込みタイトルの文字コードがセクタ４へ書き込む文字コードであるか、即ち２バイトの文字コードであるか否かを判断し（ステップＳ５）、セクタ４へ書き込む文字コードであると判断すると（ステップＳ５；ＹＥＳ）、ＰＣ２から送信された書き込みタイトルのバイト数と書き込みを行うＭＤのセクタ４の空き容量のバイト数（セクタ４のＰ−ＥＭＰＴＹ×７）を比較する（ステップＳ６）。書き込みタイトルのバイト数がＭＤのセクタ４の空き容量より大きい場合（ステップＳ６；ＹＥＳ）、ＣＰＵ１１１ａは、書き込み可能なバイト数、即ちセクタ４の空き容量のバイト数は奇数であるか否かを判断し、奇数であると判断すると（ステップＳ７；ＹＥＳ）、書き込みタイトルのバイト数を書き込み可能なバイト数−１にすることにより偶数バイトに補正し（ステップＳ８）、セクタ４を指定して記録再生部１０１に書き込み要求を行う（ステップＳ９）。
【００４３】
ステップＳ５において、ＣＰＵ１１１ａは受信したタイトルの文字コードがセクタ４へ書き込む文字コードではないと判断すると（ステップＳ５；ＮＯ）、ステップＳ９へ移行し、セクタ１を指定して記録再生部１０１に書き込み要求を行う（ステップＳ９）。また、ステップＳ６において書き込みタイトルのバイト数がＭＤのセクタ４の空き容量より大きくない場合（ステップＳ６；ＮＯ）、或いはステップＳ７において書き込み可能なバイト数が奇数ではない場合、ＣＰＵ１１１ａはステップＳ９へ移行し、セクタ４を指定して記録再生部１０１に書き込み要求を行う（ステップＳ９）。
【００４４】
記録再生部１０１によるタイトルの書き込みが終了すると（ステップＳ１０；ＹＥＳ）、ＣＰＵ１１１ａは、タイトルの書き込みが終了したことをＰＣ２に返答し（ステップＳ１１）、書き込み終了の返答の送信が終了すると（ステップＳ１３；ＹＥＳ）、当該処理を終了する。
【００４５】
以上説明したように、ＣＰＵ１１１ａによれば、ＰＣ２から書き込みタイトルのデータを受信すると、受信したタイトルの文字コードがセクタ４へ書き込む文字コード、即ち２バイトの文字コードであるか否かを判断し、セクタ４へ書き込む文字コードであると判断すると、ＰＣ２から送信された書き込みタイトルのバイト数と書き込みを行うＭＤのセクタ４の空き容量のバイト数（セクタ４のＰ−ＥＭＰＴＹ×７）を比較する。書き込みタイトルのバイト数の方が大きい場合、ＣＰＵ１１１ａは、書き込み可能なバイト数、即ちセクタ４の空き容量のバイト数は奇数であるか否かを判断し、奇数であると判断すると、書き込みタイトルのバイト数を書き込み可能なバイト数−１にすることにより偶数バイトに補正し、セクタ４を指定して記録再生部１０１に書き込み要求し、記録再生部１０１によりタイトルの書き込みを行う。
【００４６】
従って、ＭＤに書き込まれるタイトルのバイト数が必ず偶数バイトとなるように補正されるので、文字化けやグループ管理ができなくなるといった不都合を防止することができる。
【００４７】
なお、上記実施の形態における記述内容は、本発明における好適な一例であり、これに限定されるものではない。
【００４８】
例えば、上記実施の形態においては、ＭＤに対してタイトルを書き込む場合を例に挙げて説明したが、ＣＤ、ＤＶＤ（Ｄｉｇｉｔａｌ　Ｖｅｒｓａｔｉｌｅ　Ｄｉｓｋ）等の他の記録媒体にタイトルを書き込む際にも本発明を適用することができる。
【００４９】
また、記録再生装置１とＰＣ２の接続は、ＵＳＢを介するものとしたが、データの送受信ができればよく、これに限定されない。
【００５０】
その他、オーディオシステム１００及びオーディオシステム１００を構成する各装置の細部構成及び細部動作に関しても、本発明の趣旨を逸脱することのない範囲で適宜変更可能である。
【００５１】
【発明の効果】
本発明によれば、記録再生装置において、外部装置から送信されたタイトル等の文字情報を記録媒体に記録することにより生じる文字化け等の不都合を防止することができる。
【図面の簡単な説明】
【図１】本発明に係るオーディオシステム１００の全体構成を概念的に示す図である。
【図２】図１の記録再生部１０１に装填されるＭＤのセクタ４の構成を示す図である。
【図３】図１のＣＰＵ１１１ａにより実行されるタイトル書き込み処理を示すフローチャートである。
【符号の説明】
１　　記録再生装置
１０１　　記録再生部
１１１　　システムコントローラ
１１１ａ　　ＣＰＵ
１１１ｂ　　ＲＯＭ
１１１ｃ　　ＲＡＭ
１１２　　デジタル信号処理回路
１１３　　光ピックアップ
１１４　　送りモータ
１１５　　スピンドルモータ
１１６　　ＲＦアンプ
１１７　　ヘッドドライバ
１１８　　記録ヘッド
１１９　　バッファメモリ
１０２　　操作部
１０３　　表示パネル部
１０４　　ＬＥＤ部
１０５　　Ｎｅｔ　ＭＤセキュリティー回路
２　　ＰＣ
２０１　　制御部
２０１ａ　　ＣＰＵ
２０１ｂ　　ＲＯＭ
２０１ｃ　　ＲＡＭ
２０２　　操作部
２０３　　表示部
２０４　　ハードディスク
２０５　　ＣＤドライブ
２０６　　Ｉ／Ｆ
２０７　　通信制御部
３　　ＵＳＢ
１００　　オーディオシステム
【図１】
2004139685.tif 000003
【図２】
2004139685.tif 000004
【図３】
2004139685.tif 000005